(57)【特許請求の範囲】
【請求項１】
ファインダに眼を近づけて画像を確認する第１のモードと、前記ファインダから眼を離して画像を確認する第２のモードを具備する撮像装置において、
前記ファインダ内に前記撮像装置の撮影情報を表示する第１の表示手段と、
前記第１の表示手段よりも拡大して前記撮影情報を表示する第２の表示手段と、
前記第１のモードに切り替えられる場合には前記第１の表示手段にて前記撮影情報を表示するように制御し、前記第２のモードに切り替えられる場合には所定時間ごとに前記第２の表示手段にて前記撮影情報を表示するように制御する制御手段とを有することを特徴とする撮像装置。
【請求項２】
ファインダに眼を近づけて画像を確認する第１のモードと、前記ファインダから眼を離して画像を確認する第２のモードを具備する撮像装置において、
前記ファインダ内に前記撮像装置の撮影情報を表示する第１の表示手段と、
前記第１の表示手段よりも拡大して前記撮影情報を表示する第２の表示手段と、
前記第１のモードに切り替えられる場合には前記第１の表示手段にて前記撮影情報を表示するように制御し、前記第２のモードに切り替えられる場合には所定時間ごとに前記第１の表示手段と前記第２の表示手段とを切り替えて前記撮影情報を表示するように制御する制御手段とを有することを特徴とする撮像装置。
【請求項３】
使用者の眼がファインダに近づいたかどうかを検出する接眼検知ユニットと、
前記ファインダ内に撮影情報を表示する第１の表示手段と、
前記第１の表示手段よりも拡大して前記撮影情報を表示する第２の表示手段と、
使用者の眼がファインダに近づいた場合には前記第１の表示手段にて前記撮影情報を表示するように制御し、使用者の眼がファインダから離れた場合には前記第２の表示手段にて前記撮影情報を表示するように制御する制御手段とを有することを特徴とする撮像装置。
【請求項４】
使用者の眼がファインダに近づいたかどうかを検出する接眼検知ユニットと、
前記ファインダ内に撮影情報を表示する第１の表示手段と、
前記第１の表示手段よりも拡大して前記撮影情報を表示する第２の表示手段と、
使用者の眼がファインダに近づいた場合には前記第１の表示手段にて前記撮影情報を表示するように制御し、使用者の眼がファインダから離れた場合には所定時間ごとに前記第２の表示手段にて前記撮影情報を表示するように制御する制御手段とを有することを特徴とする撮像装置。
【請求項５】
使用者の眼がファインダに近づいたかどうかを検出する接眼検知ユニットと、
前記ファインダ内に撮影情報を表示する第１の表示手段と、
前記第１の表示手段よりも拡大して前記撮影情報を表示する第２の表示手段と、
使用者の眼がファインダに近づいた場合には前記第１の表示手段にて前記撮影情報を表示するように制御し、使用者の眼がファインダから離れた場合には所定時間ごとに前記第１の表示手段と前記第２の表示手段とを切り替えて前記撮影情報を表示するように制御する制御手段とを有することを特徴とする撮像装置。
【発明の詳細な説明】
【０００１】
【発明の属する技術分野】
本発明は撮像装置のファインダ装置及び視線検出装置に関するものである。
【０００２】
【従来の技術】
視線検出原理について説明する。図１３は視線検出方法の原理図（上面図）であり、図１４は視線検出法の原理図（側面図）である。
【０００３】
図１３及び図１４において、９０６ａ、９０６ｂは使用者に対して不感の赤外光を放射する発光ダイオードなどの光源であり、各光源は結像レンズ９１１の光軸に対してｘ方向（水平方向）に略対称に、またｙ方向（垂直方向）にはやや下側に（図１４）配置され、観察者の眼球を発散照明している。
【０００４】
眼球で反射した照明光の一部は結像レンズ９１１によってイメージセンサ９１２に結像する。図１２（ａ）はイメージセンサ９１２に投影される眼球像の概略図であり、図１２（ｂ）はイメージセンサ９１２の出力強度図である。
【０００５】
まず水平面に置いて図１２（ｂ）では光源９０６ｂより反射された赤外光は使用者の眼球９０８の角膜９１０を照明する。このとき角膜９１０の表面で反射した赤外光により形成される角膜反射像ｄ（虚像）は結像レンズ９１１により集光され、イメージセンサ９１２上の位置ｄ′に結像する。
【０００６】
同様に光源９０６ａより放射された赤外光は眼球の角膜９１０を照明する。このとき角膜９１０の表面で反射した赤外光により形成された角膜反射像ｅ（虚像）は、結像レンズ９１１により集光され、イメージセンサ９１２上の位置ｅ′に結像する。
【０００７】
また虹彩９０４の単部ａ、ｂからの光束は結像レンズ９１１の光軸に対する眼球９０８の光軸の回転角θが小さい場合、虹彩９０４の単部ａ、ｂのｘ座標をｘａ、ｘｂとすると、ｘａ、ｘｂはイメージセンサ上で多数点求めることができる（図１２（ａ）中の×印）。
【０００８】
そこでまず円の最小自乗法にて瞳孔中心ｘｃを算出する。一方、角膜９１０の曲率中心ｏのｘ座標をｘｏとすると、眼球９０８の光軸に対する回転角θｘは、
ｏｃ＊ｓｉｎθｘ＝ｘｃ−ｘｏ（１）
となる。ここでｏ′は眼球の中心である。また、角膜反射像ｄとｅの中点ｋに所定の補正値δｘを考慮してｘｏを求めると、
ｘｋ＝（ｘｄ＋ｘｅ）／２
ｘｏ＝（ｘｄ＋ｘｅ）／２＋δｘ（２）
ここでδｘは装置の設置方法及び眼球距離などから幾何学的に求められる数値であり、その算出方法は省略する。（１）を（２）へ代入しθｘを求めると、
θｘ＝ａｒｃｓｉｎ〔〔ｘｃ−｛（ｘｄ＋ｘｅ）／２＋δｘ｝〕／ｏｃ〕（３）
【０００９】
更にイメージセンサー上に投影されたおのおのの特徴点の座標と同様に、
θｘ＝ａｒｃｓｉｎ〔〔ｘｃ′−｛（ｘｄ′＋ｘｅ′）／２＋δｘ′｝〕／ｏｃ／β〕（４）
となる。ここでβは結像レンズ９１１に対する眼球の距離ｓｚｅにより決まる倍率で、実際は角膜反射像の間隔｜ｘｄ′−ｘｅ′｜の関数として求められる。
なお、ａ′ｂ′はイメージセンサ９１２上に結像した瞳のエッジ部である。
【００１０】
垂直面で考えると、図１３のような構成となる。ここで２個の赤外発光ダイオード（以下ＩＲＥＤとする。）９０６ａ、９０６ｂにより生じる角膜反射像は同位置に発生し、これをｉとする。
【００１１】
眼球の回転角θｙの算出方法は水平面の時とほぼ同位置であるが、（２）式のみ異なり、角膜曲率中心のｏのｙ座標をｙｏとすると、
ｙｏ＝ｙｉ＋δｙ  （５）
ここでδｙは装置の配置方法、眼球距離などから幾何学に求められる数値であり、その算出方法は省略する。よって垂直方向の回転角θｙは、
θｙ＝ａｒｃｓｉｎ〔〔ｙｃ′−（ｙｉ′＋δｙ′）〕／ｏｃ／β〕（６）
となる。
【００１２】
さらに、撮像装置のファインダ画面上の位置座標（ｘｎ、ｙｎ）はファインダー光学系で決まる定数ｍを用いると、水平面上、垂直面上の位置座標（ｘｎ、ｙｎ）はファインダ光学系で決まる定数ｍを用いると、
ｘｎ＝ｍ＊ａｒｃｓｉｎ〔〔ｘｃ′−｛（ｘｄ′＋ｘｅ′）／２＋δｘ′｝〕／ｏｃ／β〕（７）
ｙｎ＝ｍ＊ａｒｃｓｉｎ〔〔ｙｃ′−｛（ｙｉ′＋δｙ′）〕／ｏｃ／β〕（８）
となり、視線の位置が決定される。
【００１３】
図１２（ａ）で明らかなように、瞳孔エッヂの検出はイメージセンサ波形の立ち上がり（ｂ′）、立ち上がり（ａ′）を利用する。また、角膜反射像の座標は鋭い立ち上がり部（ｅ′）及び（ｄ′）を利用する。
【００１４】
また、ビデオカメラのファインダに搭載されている視線スイッチの機能について説明する。
【００１５】
図１５はＬＣＤなどの表示素子１００２の撮影情報や視線スイッチなどの表示例である。
【００１６】
図１５において、表示右下の数字は日付けを示している。「Ｗ」１１０１ａ、「Ｔ」１１０１ｂ、「Ｆ」１１０１ｃからなるメニューが表示されている。「Ｗ」はワイド側へのズーミング、「Ｔ」はテレ側へのズーミング、「Ｆ」はフェードの動作をそれぞれ示すものである。
【００１７】
例えば、使用者が表示「Ｔ」を注視したとすると、後述するシステムコントロール回路は「Ｔ」に所定時間注視点が入っていると判断するとへの注視がに所定時間注視点が入っていると判断すると、「Ｔ」への注視がなされなくなるテレ側のズーミングを実行させるために後述するレンズ撮像系へ信号を送る。
【００１８】
次に、視線ＡＦについて説明する。視線ＡＦの表示例を図１６に示す。
【００１９】
同図において、１２０１はフォーカスエリアの概略を視線ＡＦ枠であり、使用者が図１６中の人物を注視していると、この注視している座標に基づいてレンズ撮像系へ信号を送り、フォーカスエリアを指定するとともに表示手段１００７へも注視点信号を送り、表示素子１００２の画面内にＡＦ枠を表示させ、エリア内の被写体に合焦させる。
【００２０】
図２２は撮像装置のファインダ部の断面図を示している。同図において１１９はアイポイント調整つまみであり、ファインダ部１０６と一体で摺動する。このつまみでＬＣＤなどの表示素子１０７と接眼レンズ１０８との距離を変えることによって、接眼していても、離眼していても画像をはっきり見ることができる。
【００２１】
特に、図２２（ａ）から図２２（ｂ）のように表示素子１０７と接眼レンズ１０８との距離を近接させた状態にすると、使用者が接眼レンズ１０８から離れて覗いていても（図２０におけるＢの状態）、画像をはっきりと認識させることができる。
【００２２】
これは図１７（ａ）のように表示素子１０７上の像ｙが接眼レンズ１０８の焦点距離ｆ上にある場合（図２０におけるＡの状態）のアイポイントｌに比べ、図１３（ｂ）のようにファインダ上の像が接眼レンズ１０８の焦点距離ｆのかなり内側ｓにあるときのアイポイントｌ′の方が接眼レンズ１０８とアイポイントとの距離がはるかに長くなるためである。
【００２３】
一般的に、このようなアイポイントが長いファインダの状態は、「スポーツファインダ」や、「スポーツファインダモード」などの名称で呼ばれている。
【００２４】
上記のように撮像装置のファインダ部を摺動させ接眼レンズと表示素子を近接させ、スポーツファインダモードにするもののほか、撮像装置の形状などの都合上、接眼レンズを予め大きいものを使用することによりファインダの表示をファインダから離れた距離で見ることを可能としたファインダが存在する。
【００２５】
図１８及び図１９は表示素子１０７上の画像が眼球に入るまでの光路を簡略化して示したものである。
【００２６】
図１８において眼球がＡの位置にあるときには接眼レンズ１０８が図示の大きさであると、表示素子１００２の画角から眼球への光路は（１）のように眼球に入る。しかし、眼球の位置がＢの位置にあるときには、光路は瞳の端部ｂの外を通るので使用者に画像は認識されない。すなわち画面の一部が欠けて見えなくなる。
【００２７】
これに対し、図１９の場合は接眼レンズ１０８′は図１８の接眼レンズ１０８より大きくしてある。このような場合、眼球がＢに位置しても光路は（２）を通り、眼球に入る。このように接眼レンズが大きいとファインダを離して見ても画面が欠けることはなく上述したスポーツファインダとしての機能が発揮される。
【００２８】
【発明が解決しようとする課題】
しかしながら、上記従来例では以下のような問題点があった。
ＬＣＤなどの表示素子に出力される撮像装置の電池容量の残量、撮影時間、日付けなどの撮影情報は撮影画像もしくは再生画像の画角を損なわない程度の大きさで表示されていた。
【００２９】
しかし、ファインダを「スポーツファインダ」として用い、使用者が接眼レンズから離れて画像を確認するとき、表示素子上の撮影情報が従来通り小さいものであると、撮影情報を使用者が認識することは困難である。このため、スポーツファインダとして装置を用いるときは撮影情報の確認を行うときには一旦ファインダ部に近づいて確認することを余儀なくされていた。
【００３０】
また、視線検出ユニットを有しファインダから眼球を離しても画像を確認可能な撮像装置においては、図１９のようにＩＲＥＤ９０６を接眼レンズ１０８′の外周に配置すると接眼レンズ１０８′が大きいためその光路は（３）のようになりまぶた９００に遮られて眼球には届かない。
【００３１】
また、上記のようなことを考慮してまぶたに光路を遮られないように、図２１に示すように接眼レンズ１０８′の内側ＣにＩＲＥＤ９０６を配置すると、眼球の位置がＢの位置のとき、表示素子１０７の画角の光路は（４）のように眼球３に入るが、表示画像はＩＲＥＤ９０６によって遮光されてしまい非常に見ずらくなる。
【００３２】
本発明は上記のような問題を鑑み、使用者がファインダから眼球を離して画像を確認する（図２０のＢの状態）ことが可能なスポーツファインダ時においても撮像装置の撮影情報の確認を容易とする。
【００３３】
また、視線を検出するために眼球を照明するＩＲＥＤを移動することによりファインダ画面を見やすくすることを目的とする。
【００３４】
【課題を解決するための手段】
本発明は、ファインダに眼を近づけて画像を確認する第１のモードと、前記ファインダから眼を離して画像を確認する第２のモードを具備する撮像装置において、前記ファインダ内に前記撮像装置の撮影情報を表示する第１の表示手段と、前記第１の表示手段よりも拡大して前記撮影情報を表示する第２の表示手段と、前記第１のモードに切り替えられる場合には前記第１の表示手段にて前記撮影情報を表示するように制御し、前記第２のモードに切り替えられる場合には所定時間ごとに前記第２の表示手段にて前記撮影情報を表示するように制御する制御手段とを有することを特徴とする。
【００３５】
本発明は、ファインダに眼を近づけて画像を確認する第１のモードと、前記ファインダから眼を離して画像を確認する第２のモードを具備する撮像装置において、前記ファインダ内に前記撮像装置の撮影情報を表示する第１の表示手段と、前記第１の表示手段よりも拡大して前記撮影情報を表示する第２の表示手段と、前記第１のモードに切り替えられる場合には前記第１の表示手段にて前記撮影情報を表示するように制御し、前記第２のモードに切り替えられる場合には所定時間ごとに前記第１の表示手段と前記第２の表示手段とを切り替えて前記撮影情報を表示するように制御する制御手段とを有することを特徴とする。
【００３６】
本発明は、使用者の眼がファインダに近づいたかどうかを検出する接眼検知ユニットと、前記ファインダ内に撮影情報を表示する第１の表示手段と、前記第１の表示手段よりも拡大して前記撮影情報を表示する第２の表示手段と、使用者の眼がファインダに近づいた場合には前記第１の表示手段にて前記撮影情報を表示するように制御し、使用者の眼がファインダから離れた場合には前記第２の表示手段にて前記撮影情報を表示するように制御する制御手段とを有することを特徴とする。
【００３７】
本発明は、使用者の眼がファインダに近づいたかどうかを検出する接眼検知ユニットと、前記ファインダ内に撮影情報を表示する第１の表示手段と、前記第１の表示手段よりも拡大して前記撮影情報を表示する第２の表示手段と、使用者の眼がファインダに近づいた場合には前記第１の表示手段にて前記撮影情報を表示するように制御し、使用者の眼がファインダから離れた場合には所定時間ごとに前記第２の表示手段にて前記撮影情報を表示するように制御する制御手段とを有することを特徴とする。
【００３８】
本発明は、使用者の眼がファインダに近づいたかどうかを検出する接眼検知ユニットと、前記ファインダ内に撮影情報を表示する第１の表示手段と、前記第１の表示手段よりも拡大して前記撮影情報を表示する第２の表示手段と、使用者の眼がファインダに近づいた場合には前記第１の表示手段にて前記撮影情報を表示するように制御し、使用者の眼がファインダから離れた場合には所定時間ごとに前記第１の表示手段と前記第２の表示手段とを切り替えて前記撮影情報を表示するように制御する制御手段とを有することを特徴とする。
【００４８】
【発明の実施の形態】
以下、本発明の実施の形態を示す。
【００４９】
（第１の実施の形態）
図１は本実施の形態の撮像装置の構成概略図である。
【００５０】
図１に示した構成において、１０１１はズームレンズを備え被写体をＣＣＤなどに露光し被写体像を電気的な信号に変換するレンズ撮像系、また１００１はＮＴＳＣ信号などの規格化された信号に処理する信号処理回路、さらに１０１２は磁気テープや光ディスクなどの画像を記録するための記録媒体である。
【００５１】
そのほか、レンズ撮像系１０１１により撮像される被写体を観察するためのＬＣＤなどを有する表示素子１００２と、この表示素子１００２の前に配置された第１の接眼レンズ１００３と、使用者の目の直前に配置された第２の接眼レンズ１０１０と、使用者の目１００５の接眼を検知し、さらに視線を検出する視線検出ユニット１００６と、フォーカスエリアの概略を表すＡＦ枠、視線スイッチの指標、その他テープカウンターや撮影モードなど使用者に必要な情報などを表示素子１００２へ表示する表示回路１００７を具備する。
【００５２】
また、この撮像装置の各部を制御する制御手段としてのシステムコントロール手段１００８と、さまざまなデータを記憶するためのメモリ１００９、撮像装置の機能を実行するための操作スイッチ検出回路１００４を具備して概略構成されている。
【００５３】
視線検出ユニット１００６は、使用者の眼球１００５に赤外光を照射する赤外発光ダイオード（以下、ＩＲＥＤと称す）１０６０と、可視光を反射し赤外光を透過するダイクロイックミラー１０６１と、このダイクロイックミラー１０６１を透過した赤外光を集光する集光レンズ１０６２と、この集光レンズ１０６２により集光された赤外光を電気信号に変換する光電変換素子１０６３と、さらにこの光電変換素子１０６３上の使用者の眼球をもとに、使用者の表示素子１００２上の注視点を求める注視点検出回路１０６４とを具備することにより概略構成している。
【００５４】
ダイクロイックミラー１０６１は、可視光を透過するため、使用者が接眼レンズ１００３、１０１０を通して表示素子１００２の画面を観察できるようになっている。またダイクロイックミラー１０６１は、赤外光を反射するため、赤外発光ダイオード１０６０によって照射された目１００５の反射像は第二の接眼レンズ１０１０を通って、集光レンズ１０６２で集光されて光電変換素子１０６３上に像を結ぶようになっている。
【００５５】
注視点検出回路１０６４は光電変換素子９１２上の使用者の眼球の像を基に、前述した原理に基づいたアルゴリズムに従い、使用者の表示素子１００２画面上の注視点を求めるものである。
【００５６】
本実施の形態は、図５に示したファインダを有し、表示ユニット５０６が移動可能で図５（ｂ）のように接眼レンズ５０８に、この表示部５０６が近づくことにより第２のモードとしてのスポーツファインダモードとなり、また、遠ざけることにより図５（ａ）のように第１のモードとしての通常のファインダモードとなるものである。
【００５７】
図２は本実施の形態のフローチャートであり、以下説明する。
【００５８】
まずＳ１０１において、システムコントロール回路１００８は視線検出ユニット１００６に視線検出の指令を送る。
【００５９】
この指令を受けてＩＲＥＤ１０６０が発光を開始し、光電変換素子１０６３が眼球像の読み取りを開始する（Ｓ１０２）。
【００６０】
Ｓ１０３において、反射物があると判断されると次にＳ１０４において瞳孔があるかどうかを検出する。ここで瞳孔があると判断された場合、Ｓ１０５においてシステムコントロール回路１００８は接眼していると判断し、Ｓ１０６において表示回路１００７に「通常出力モード」の選択信号を出力させ、接眼レンズ５０８と表示素子５０７の関係を図５（ａ）のような状態とする。
【００６１】
このとき、表示素子１００２の画面の端または画面の中央に小さく第１の表示手段として図３（ａ）のようなバッテリーの残量の表示及び撮影時間などの撮影情報が表示される。
【００６２】
また、Ｓ１０３において、反射物が検出されていないとき及びＳ１０４において瞳孔が検出されていないときは、Ｓ１０７において接眼していないと判断される。
【００６３】
そうすると、Ｓ１０８において、「情報強調出力モード」の選択信号が出力され、第２の表示手段として図３（ｂ）のように画面の中央に「通常出力モード」の表示が拡大され、接眼レンズ５０８と表示素子５０７の関係を図５（ｂ）のように近接した状態に摺動される。
【００６４】
「情報強調出力モード」のとき、拡大された撮影情報の表示は通常の画像の撮影の邪魔になるので都合によって所定間隔ごとに表示させたり、第２の表示手段と第１の表示手段を所定時間ごとに切り替えて表示したりする。
【００６５】
上記では、ファインダの通常モードとスポーツファインダモードを接眼を検知することによってそれらのモードに移行させていたが、手動作によってこれらのモードにしてもよい。図４において、１１８ａ及び１１８ｂは、スポーツファインダモードであるかどうかを検出するスポーツファインダモード検出部であり、これらが図４（ａ）のように非接触の状態にある場合、システムコントロール回路１００８は、表示回路１００７に「通常情報出力モード」の選択信号を出力する。
【００６６】
また、スポーツファインダモード１１８ａ及び１１８ｂが図４（ｂ）のように接触状態にある場合、システムコントロール回路１００８は表示回路１００７に「情報強調出力モード」の選択信号を出力する。
【００６７】
以上のように、表示手段が移動してスポーツファインダモードになるような撮像装置においても、使用者がファインダ部に接眼していないときには、撮影状況及び再生状況に関するさまざまな情報の表示を所定時間ごとに拡大して画面の中央に配置させているので、使用者がファインダから離れて使用しているスポーツファインダモードのときにおいてもさまざまな撮影情報の確認が容易となる。
【００６８】
上記の接眼の検出では、使用者の瞳孔まで判定して接眼の検出を行っていたが検出動作を簡略化するために反射物のみを検出して接眼の判断を行ってもよい。反射物のみを検出して接眼の判断を行うフローチャートを図６に示す。図６のフローチャートは図２のフローチャートの瞳孔検出の判断がないのみであり、同図の説明は省略する。
【００６９】
（第２の実施の形態）
本実施の形態の撮像装置の構成概略図はダイクロイックミラーが図１の第１の実施の形態のものとは赤外光を透過し可視光を反射しているという差異があるがそのほかの構成は同様であり説明は省略する。
【００７０】
図７は本実施の形態のファインダ部の断面図であり、照明ユニット１２０４は通常モード及びスポーツファインダモードに合わせて移動する。
【００７１】
図８は上記照明ユニットの断面図である。同図において、点線によって図示されているＩＲＥＤ９０６は、ＩＲＥＤ９０６を不図示のシステムコントロール回路へ結ぶために点線によって図示されているフレキシブル基板９１１と共に、照明ユニット１２０４に固定されている。
【００７２】
照明ユニット１２０４はＵの位置で眼球照明が可能であり、Ｔの位置はこの照明ユニットが光路を遮らないように水平に倒れた状態にある。
【００７３】
また照明ユニット１２０４にはギヤ１２０２が設けられており、照明ユニット１２０４をＵまたはＴの位置に移動させる移動部材１２０８のギヤ部１２０９と噛み合っている。
【００７４】
図９は、図８とは異なる角度から描写した照明ユニット１２０４の構造図である。照明ユニット１２０４には回転軸１２０１が設けられており、回転軸１２０１はそれぞれ固定板５及び６にある穴に嵌合して固定されている。照明ユニット１２０４はこの回転軸１２０１を軸として回動する。
【００７５】
図１０は移動部材１２０８をＹ方向から見た図である。移動部材１２０８はモールドなどによって形成されたプラスチックなどの部材で作られている。この移動部材の１２０８ｂは空洞となっていることにより突起部１２０８ａは突出したり陥没したり（図１０の点線部）する。
【００７６】
眼球をファインダから離して画像の確認をするスポーツファインダモードのときや使用者の視線を検出しないときは移動部材１２０８をＶの位置まで移動させる。このとき移動部材１２０８の突起部１２０８ａは固定部材１２０６の凹部１２０６と略嵌合して固定される。
【００７７】
この動作に伴い、移動部材１２０８上のギヤ部１２０９と照明ユニット１２０４のギヤ１２０２が噛み合って照明ユニット１２０４に駆動力を伝導させて照明ユニット１２０４を回動させてＴの状態となる。これによってファインダ視野内から離脱され、使用者の視野を遮らないようにする。
【００７８】
また、使用者がファインダに接眼しているときは移動部材１２０８をＶからＷへ動かす。このとき移動部材１２０８上の突起部１２０８ａは凹部１２０８ｂに押し込まれ（図１０の点線１２０８ａ′の状態）、Ｗの位置で凹部１２０６ｂと略嵌合して固定される。
【００７９】
この動作に伴い、移動部材１２０８上のギヤ部１２０９と照明ユニット１２０４のギヤ１２０２が噛み合って照明ユニット１２０４に駆動力を伝導させて照明ユニット１２０４を回動させてＴの状態となる。
【００８０】
照明ユニットがＴの状態のとき、光電変換素子１０６３を含めた視線検出ユニットを駆動するための視線駆動スイッチ１２０９が照明ユニット１２０４によって押圧された状態であり、このとき、視線検出ユニットは駆動を停止している。
【００８１】
照明ユニットがＵの状態のとき、視線駆動スイッチ１２０９は開放され、このとき視線検出ユニットは駆動を開始している。
【００８２】
また、このような形態において、ファインダの視線検出ユニットを取り外し可能としてもよい。図１１は、外枠部２ａから視線検出ユニット２ｂが着脱可能としたものである。そうすることにより使用者の視線を検出したいときは視線検出ユニット２ｂを取り付け、必要のないときは視線検出機能の付属されていないユニットを取りつければよい。
【００８３】
また、図５のような可動型のファインダ装置にも、もちろん本実施の形態は適用可能である。
【００８４】
以上のように本発明によれば、視線検出のための眼球を照明するユニットが移動可能であるので、視線検出の必要のないときまたはファインダから眼球を離して画像を確認する「スポーツファインダ」として用いるときは、表示素子から眼球までの光路を遮らないように移動するので、スポーツファインダ機能と視線検出機能を兼用した撮像装置を提供することができる。
【００８５】
【発明の効果】
本発明によれば、ファインダに眼を近づけて画像を確認する第１のモードに切り替えられる場合には第１の表示手段にて撮影情報を表示するように制御し、ファインダから眼を離して画像を確認する第２のモードに切り替えられる場合には所定時間ごとに、第１の表示手段よりも拡大して撮影情報を表示する第２の表示手段にて撮影情報を表示するように制御するので、ファインダから眼を離しているときにも撮影情報の確認が容易となる。
【００８６】
本発明によれば、ファインダに眼を近づけて画像を確認する第１のモードに切り替えられる場合には第１の表示手段にて撮影情報を表示するように制御し、ファインダから眼を離して画像を確認する第２のモードに切り替えられる場合には所定時間ごとに第１の表示手段と第１の表示手段よりも拡大して撮影情報を表示する第２の表示手段とを切り替えて撮影情報を表示するように制御するので、ファインダから眼を離しているときにも撮影情報の確認が容易となる。
【００８７】
本発明によれば、使用者の眼がファインダに近づいた場合には第１の表示手段にて撮影情報を表示するように制御し、使用者の眼がファインダから離れた場合には第１の表示手段よりも拡大して撮影情報を表示する第２の表示手段にて撮影情報を表示するように制御するので、ファインダから眼を離しているときにも撮影情報の確認が容易となる。
【００８８】
本発明によれば、使用者の眼がファインダに近づいた場合には第１の表示手段にて撮影情報を表示するように制御し、使用者の眼がファインダから離れた場合には所定時間ごとに第１の表示手段よりも拡大して撮影情報を表示する第２の表示手段にて撮影情報を表示するように制御するので、ファインダから眼を離しているときにも撮影情報の確認が容易となる。
【００８９】
本発明によれば、使用者の眼がファインダに近づいた場合には第１の表示手段にて撮影情報を表示するように制御し、使用者の眼がファインダから離れた場合には所定時間ごとに第１の表示手段と第１の表示手段よりも拡大して撮影情報を表示する第２の表示手段とを切り替えて撮影情報を表示するように表示するように制御するので、ファインダから眼を離しているときにも撮影情報の確認が容易となる。
【図面の簡単な説明】
【図１】第１の実施の形態における撮像装置の構成概略図。
【図２】第１の実施の形態における視線検出機能を有する撮像装置に本発明を適用したときのフローチャート。
【図３】（ａ）は第１の実施の形態における「通常出力モード」時のファインダの表示例を、
（ｂ）は第１の実施の形態における「情報強調出力モード」時のファインダの表示例をそれぞれ示す図である。
【図４】（ａ）は通常のファインダモード時の接眼検知ユニットを具備していない撮像装置の断面を、
（ｂ）はスポーツファインダモード時の接眼検知ユニットを具備していない撮像装置の断面をそれぞれ示す図。
【図５】（ａ）は通常のファインダモード時の接眼検知ユニットを具備する撮像装置の断面を、
（ｂ）はスポーツファインダモード時の接眼検知ユニットを具備する撮像装置の断面をそれぞれ示す図。
【図６】第１の実施の形態における接眼検出機能を有する撮像装置に本発明を適用したときのフローチャート。
【図７】第２の実施の形態における撮像装置のファインダの断面図。
【図８】第２の実施の形態における照明ユニットの側面図。
【図９】第２の実施の形態における照明ユニットの正面図。
【図１０】第２の実施の形態における移動部材の下面図。
【図１１】第２の実施の形態におけるファインダの外枠と取り外し可能な視線検知ユニットの外観図。
【図１２】（ａ）は光電変換素子上に投影される眼球像を、
（ｂ）は光電変換素子により読み取られた眼球像の出力をそれぞれ示す図。
【図１３】視線検出方法の原理図（上面図）。
【図１４】視線検出方法の原理図（側面図）。
【図１５】表示素子上の撮影情報及び視線スイッチなどの表示例。
【図１６】視線入力によるＡＦ動作の表示例。
【図１７】（ａ）は通常時のファインダにおけるレンズとアイポイントとの関係を、
（ｂ）はスポーツファインダモードにおけるレンズとアイポイントとの関係をそれぞれ示す図。
【図１８】通常の接眼レンズと眼球の関係。
【図１９】接眼レンズを大きくしたときの接眼レンズと眼球の関係。
【図２０】スポーツファインダを有する撮像装置の外観図。
【図２１】第２の実施の形態の原理図。
【図２２】（ａ）は従来のスポーツファインダの通常時のファインダの断面図。
（ｂ）は従来のスポーツファインダ時のファインダの断面図。
【符号の説明】
１００２  撮像素子
１００６  視線検出ユニット
１０１０  第２の接眼レンズ
１０６０  ＩＲＥＤ
１０６３  光電変換素子
１０６４  注視点検出回路
１２０４  照明ユニット
１２０８  移動部材
【図１】
0003761978.tif 000002
【図２】
0003761978.tif 000003
【図３】
0003761978.tif 000004
【図４】
0003761978.tif 000005
【図５】
0003761978.tif 000006
【図６】
0003761978.tif 000007
【図７】
0003761978.tif 000008
【図８】
0003761978.tif 000009
【図９】
0003761978.tif 000010
【図１０】
0003761978.tif 000011
【図１１】
0003761978.tif 000012
【図１２】
0003761978.tif 000013
【図１３】
0003761978.tif 000014
【図１４】
0003761978.tif 000015
【図１５】
0003761978.tif 000016
【図１６】
0003761978.tif 000017
【図１７】
0003761978.tif 000018
【図１８】
0003761978.tif 000019
【図１９】
0003761978.tif 000020
【図２０】
0003761978.tif 000021
【図２１】
0003761978.tif 000022
【図２２】
0003761978.tif 000023